(57)【要約】【課題】柱周りに耐火被覆用パネルを取付けるに際し、作業の単純化をはかると共に、工期の短縮化やコストダウンをはかる。【解決手段】柱の幅寸法にパネル厚さ及びクリアランス寸法を加算した幅のパネルの小口面に取付金物を固定し、また、取付金物を固定した反対側近傍のパネル裏面に支持金具を固定し、柱周りに必要なパネルを用意する。パネルの取付けは、耐火被覆用パネル、取付金具及び支持金具を耐火被覆用パネルの小口面を合わせながら、柱に接触させて配置し、耐火被覆用パネルの端部にタッピンビスを貫通させて取付金具に緊結する。【選択図】  図６
2009299379.tif 000002
【特許請求の範囲】
【請求項１】
柱周りに耐火被覆用パネルを取り付ける取付方法であって、耐火被覆用パネル一端の小口面に断面にＺ字型を含む取付け金具を該取付け金具の主面を耐火被覆用パネルの裏面に当接させて取り付けると共に、前記耐火被覆用パネル裏面の他端近傍に互いに平行なパネル当たり面と柱当たり面とを有する支持金具を取り付け、該取付け金具と支持金具を取り付けた耐火被覆用パネルを建物柱の周囲に取り囲んで配置し、隣接する耐火被覆パネルの端部と対向するパネル小口面に設置された取付け金物を固定具材によって固定し、柱と耐火被覆用パネルとの間に空間を保って固定することを特徴とする耐火被覆用パネル材パネルの取付け方法。
【請求項２】
前記耐火被覆用パネルの取付け金具を、ビスまたは接着剤により取り付けることを特徴とする請求項１に記載の耐火被覆用パネルの取付け方法。
【請求項３】
前記耐火被覆用パネルの取付け金具を、該取付け金具に設けられた爪により取り付けることを特徴とする請求項１に記載の耐火被覆用パネルの取付け方法。
【請求項４】
前記柱が鉄骨柱であることを特徴とする請求項１から３のいずれか１項に記載の耐火被覆用パネルの取付け方法。
【発明の詳細な説明】
【技術分野】
【０００１】
本発明は、耐火被覆パネルの取付け工法に関し、更に詳しくは鉄骨柱の周囲に耐火被覆用パネルを取付ける場合の取付け方法に関するものである。
【背景技術】
【０００２】
従来、鉄骨構造の建物の鉄骨柱の表面を耐火被覆パネルで被覆する工法としては、予め鉄骨柱の周囲に耐火被覆パネル取り付け用の下地鋼材を設けて、耐火被覆用パネルをタッピンビス等で取付ける工法が行われていた（例えば、特許文献１参照。）。
また、鉄骨柱に直張りする工法も提案されている（例えば、特許文献２、特許文献３参照。）。
【０００３】
特許文献１に開示されたパネル取り付け用の下地鋼材を使用する工法は、鉄骨柱の角部に該鉄骨柱の少なくとも二方の外表面に跨って当接する取り付け用下地鋼材を設け、該耐火被覆パネルの外表面と鉄骨柱との間に微小間隔を保って耐火被覆パネルをビス止めする方法である。
この方法によれば、作業性が良く、建築物の有効面積が大きくできる利点が有るとされている。
【０００４】
また、特許文献２に開示された鉄骨柱に直張りする工法は、柱の幅寸法とほぼ等しい寸法を持ったパネルの小口面に鋼製プレートをビスで固定しておき、柱の幅寸法に２枚のパネルの厚さを加えた寸法を持つパネルを用意してこれらのパネル４枚を柱の周囲に密着させて配置して、パネルの小口面にタッピングビスを貫通させて鋼製プレートに締結させる方法である。
この方法によれば、下地鋼材が不要になり、部材の節減、取り付け行程の削減を図ることで工期の短縮とコストダウンが図れるとさている。
さらに、特許文献３に開示された鉄骨柱に直張りする工法は、鉄骨柱の相対する面の両側隅部に、断面Ｌ字型で一方の辺に延出部を有する取付金具を延出部が対向するように取り付け、タッピングビスをパネルを貫通させて延出部を介して他のパネルの小口面に締め込むことにより固定する方法である。
この方法によれば、取付施工が容易で取り付ける際にパネルの欠損がなく、パネルの取付強度が優れたものになるとされている。
【特許文献１】特開２００１−５９２８９号公報
【特許文献２】特開平７−３２４４０１号公報
【特許文献３】特開２００６−２９１５７９号公報
【発明の開示】
【発明が解決しようとする課題】
【０００５】
上記のように、下地鋼材を予め設ける方法では、下地を別途用意して柱に取り付けなければならない問題がある。また、鉄骨柱に溶接により取付けるため、構造躯体への溶接によるゆがみの問題も生じる。
さらに、上記のように柱に直接耐火被覆用パネルを取付ける場合には、鉄骨躯体の精度に影響され、耐火被覆用パネルの施工精度に影響が出てしまう。また、柱にはタラップ設置用の突起や接合部等があるので、耐火被覆用パネルを直張りしてしまうと、これらと干渉してしまい、耐火被覆用パネルを削るなど耐火性能に影響を与える問題がある。
本発明の目的は、作業の単純化を図ることで工期の短縮化やコストダウンを図ることが可能となる、柱周りの耐火被覆用パネルの取付け方法を提供することにある。
本発明の他の目的は、耐火被覆用パネルに予め取付け金物を設置し、耐火被覆用パネルを柱に回りに設置して固定材で取付けることにより、鋼材下地の取付けを不要とするとともに、取付け金物を用いてパネルと柱との間に空間を設けることにより、柱の突起や接合部等と耐火被覆用パネルとの干渉を避けることにある。
【課題を解決するための手段】
【０００６】
本発明の耐火被覆用パネル材パネルの取付け方法は、耐火被覆用パネル一端の小口面に断面にＺ字型を含む取付け金具を該取付け金具の主面を耐火被覆用パネルの裏面に当接させて取り付けると共に、前記耐火被覆用パネル裏面の他端近傍に互いに平行なパネル当たり面と柱当たり面とを有する支持金具を取り付け、取付け金具と支持金具を取り付けた耐火被覆用パネルを建物柱の周囲に取り囲んで配置し、隣接する耐火被覆パネルの端部と対向するパネル小口面に設置された取付け金物を固定具材によって固定し、柱と耐火被覆用パネルとの間に空間を保って固定する耐火被覆用パネル材パネルの取付け方法とした。
【０００７】
本発明の耐火被覆用パネル材パネルの取付け方法では、前記耐火被覆用パネルの取付け金具を、ビスまたは接着剤により取り付けることができるし、あるいは該取付け金具に設けられた爪により取り付けても良い。
本発明の耐火被覆用パネル材パネルの取付け方法は、特に前記柱が鉄骨柱である場合に有効である。
【発明の効果】
【０００８】
上記のような耐火被覆用パネルの方法によれば、予め鋼材下地を設ける必要はなく、鋼材下地を取付ける手間を削減でき、コストダウンが可能となる。また、柱に設けられた突起物への干渉を防止でき、耐火性能の低下を防ぐことが出来ると共に、躯体精度に影響されない施工が可能となる。
【発明を実施するための最良の形態】
【０００９】
以下、本発明による取付方法を図に示す実施形態に基づいて具体的に説明する。
先ず、本発明で使用する取付け金具と支持金具について説明する。
図１および図２は本発明で使用する取付け金具の外観斜視図である。
図１（ａ）は本発明で使用する取付け金具の基本となる形状のもので、一組の平行なパネル小口当たり面３ａとスペーサー面３ｃ、及びもう一組の平行なパネル当たり面３ｂと柱当たり面３ｄとが、互いに直角にかつ断面がＺ字状を含むジグザグ状になるように加工されている。パネル小口当たり面３ａとパネル当たり面３ｂ及びスペーサー面３ｃとが断面がＺ字状になるように構成されていて、スペーサー面３ｃの先端に柱当たり面３ｄが全体としてジグザグになるように伸びている。
【００１０】
パネル小口当たり面３ａは、耐火被覆用パネルに取り付ける際にパネル小口に当接させて固定する面であり、パネル当たり面３ｂは耐火被覆用パネルに取り付ける際にパネル裏面に当接させて固定する面である。図１（ａ）の例ではパネル当たり面３ｂのほぼ中央に、ビス穴３ｅが設けてある。
スペーサー面３ｃは耐火被覆用パネルと柱との間に必要な間隙を確保するためのものであって、その長さは柱の突起や接合部等と耐火被覆用パネルとの干渉を避けるのに必要な長さとする。
柱当たり面３ｄは、建物の柱面に当接し、耐火被覆用パネルを締め付け固定する際に反力により耐火被覆用パネルを柱面に押さえつけるに必要な長さを有するものとする。
【００１１】
図１（ｂ）は図１（ａ）の変形の一つである。
図１（ａ）の取付け金具３では柱当たり面３ｄはパネル当たり面３ｂの方向に平行に伸びているのに対して、図１（ｂ）の取付け金具４では柱当たり面４ｄはパネル当たり面４ｂと同じ方向に折り返すように平行に伸びている。他の部分の構成は図１（ａ）の例と全く同一である。パネル当たり面４ｂを折り返すように構成することにより、取付け金具を小型にすることが可能となる。
【００１２】
図２（ａ）は本発明で使用する取付け金具のもう一つの例を示す外観斜視図である。
図２（ａ）の取付け金具５が図１（ａ）の取付け金具３と異なる点は、ビス穴３ｅに替えてパネル当たり面５ｂとスペーサー面５ｃが交わるコーナー部にパネル当たり面５ｂに直角な方向に飛び出している爪５ｆを有している点である。他の部分の構成は図１（ａ）の例と同一である。
爪５ｆは耐火被覆用パネルの裏面に打ち込んで、取付け金具を耐火被覆用パネルに取り付けるためのものである。
【００１３】
図２（ｂ）は図２（ａ）の変形の一つである。
図２（ａ）の取付け金具５では柱当たり面５ｄはパネル当たり面５ｂの方向に平行に伸びているのに対して、図２（ｂ）の取付け金具６では柱当たり面６ｄはパネル当たり面６ｂと同じ方向に折り返すように平行に伸びている。他の部分の構成は図２（ａ）の例と全く同一である。パネル当たり面６ｂを折り返すように構成することにより、取付け金具を小型にすることが可能となる。
【００１４】
次に、図３から図５に本発明で使用する支持金具の例を外観斜視図で示す。支持金具は柱面に締め付ける際に柱面と耐火被覆用パネルの間に介在して、適度な間隙を保ち柱の突起や接合部等と耐火被覆用パネルとの干渉を避ける役割を担うものである。
図３に示す支持金物７は、パネル当たり面７ｂの両端の直角方向に、２面のスペーサー面７ｃ、７ｃが平行に取り付けられており、スペーサー面７ｃ、７ｃの他端には柱当たり面７ｄ、７ｄがパネル当たり面７ｂと平行に、外側に張り出して取り付けられている。ここでスペーサー面７ｃの長さは、先の取付け金具のスペーサー面３ｃの長さと同じく必要とする間隙の長さとする。
支持金物７は施工された場合にパネル当たり面７ｂが耐火被覆用パネルの裏面に当接し、柱当たり面７ｃ、７ｃが建物の柱面に当接し、耐火被覆用パネルを締め付けると反力により適度な間隙を保って耐火被覆用パネルを建物の柱に固定する機能を有する。
【００１５】
図４に示す支持金具８は、図３に示した支持金具７の変形の一つである。
図４に示す支持金具８が図３に示した支持金具７と異なる点は、支持金具８のパネル当たり面８ｂに直角方向に突き出す爪８ｆを有している点である。他の部分の構成は図３に示した支持金具７と全く同一である。
支持金具８は耐火被覆用パネルに取り付ける際に、爪８ｆを耐火被覆用パネル裏面に打ち込んで取り付ける。
【００１６】
図５に示す支持金具９は、図３に示した支持金具７のもう一つの変形例である。
支持金具９では、パネル当たり面９ｂ、９ｂが２面に分かれていて、柱当たり面９ｃが１面のみとなり、おのおのスペーサー面９ｃ、９ｃに直角をなして設けられている。パネル当たり面９ｂ、９ｂのほぼ中央にはビス穴９ｅ，９ｅがあけてある。支持金具９の他の部分の構成や機能は支持金具７の場合と同様である。
【００１７】
次に、本発明の耐火被覆用パネルの取付け方法を図を用いて説明する。
図６は本発明の耐火被覆用パネルの取付け方法の一例を示す断面図である。図６の例では、４枚の耐火被覆用パネル２を先に図１（ａ）に示した取付け金具３と図５に示した支持金具９を使用して４角い鋼鉄の建物の柱１に取り付けた例を示している。
図に示すように各被覆用パネル２の一端小口面２ａには、取付け金具３がパネル当たり面３ｂを被覆用パネル２の裏面に当接させて取り付けてある。また、各被覆用パネル２の他端近傍には、耐火被覆用パネル裏面にタッピングビス１１を打ち込んで取り付けた支持金具９がパネル当たり面９ｂ、９ｂを上下方向にして挿入してある。この際、支持金具９は柱当たり面９ｄを柱１の表面に溶接固定しても良いし、パネル当たり面９ｂ、９ｂを被覆用パネル２の裏面に接着固定しても良い。
【００１８】
このように取付け金具３と支持金具９を取り付けた４枚の被覆用パネル２を、図のように柱１の周囲に配置し、被覆用パネル２の一端にタッピングビス１０を貫通させて、さらにその下の他の被覆用パネル２の小口面２ａにある取付け金具３のパネル小口当たり面３ａのビス穴３ｅに螺合させて締め付け固定する。タッピングビス１０は耐火被覆用パネル表面から深く貫通させ、頭部は補修材を充填して補修する。
このようにして被覆用パネル２の四隅を締め付けることにより、４枚の被覆用パネル２は図のように四角い枠状に組み上がり、取付け金具３及び支持金具９に生じた反力により柱１に適度な間隙を保って固定される。
【００１９】
図７は本発明の耐火被覆用パネルの取付け方法の別の例を示す断面図である。図７の例では、４枚の耐火被覆用パネル２を先に図２（ｂ）に示した取付け金具６と図４に示した支持金具８を使用して４角い鋼鉄の建物の柱１に取り付けた例を示している。図７の例では取付け金具６と支持金具８を耐火被覆用パネル２に取付ける際に、取付け金具４と支持金具８に設けた爪６ｆ，８ｆを利用して耐火被覆用パネル面に打ち込んで固定している。柱への固定方法や機能は図６の場合と同様である。
【００２０】
本発明の方法では取付け金具の耐火被覆用パネルへの取付けは、取付け金具に設けられた爪をパネルに食い込ませることにより取付ける方法、または接着剤で固定する方法、あるいはビス等により固定する方法が利用できる。これは対象となる耐火被覆用パネルにより、工程方法を変えることが出来るものである。対象となる耐火被覆用パネルは、コンクリート系パネル、軽量気泡コンクリートパネル（ＡＬＣ）、珪酸カルシウム系パネル、石膏ボードなどがあげられる。
【００２１】
なお、本実施形態では、柱を角型鋼板からなる部材について説明したが、Ｈ型鋼からなる柱にあっても同様に被覆できる。また、更に円筒形の柱や、多数の鋼材を組み合わせた柱にも適用が可能である。
【産業上の利用可能性】
【００２２】
本発明により上記のように取付ける耐火被覆用パネルの取付方法では、予め鋼材下地を設ける必要はなく、鋼材下地を取付ける手間を削減できるのでコストダウンが可能となる。また、柱に設けられた突起物への干渉を防止でき、耐火性能の低下を防ぐことが出来ると共に、躯体精度に影響されない施工が可能となる利点が大である。
【図面の簡単な説明】
【００２３】
【図１】本発明で使用する取付け金具の一例を示す外観斜視図である。
【図２】本発明で使用する取付け金具の他の例を示す外観斜視図である。
【図３】本発明で使用する支持金具の一例を示す外観斜視図である。
【図４】本発明で使用する支持金具の他の例を示す外観斜視図である。
【図５】本発明で使用する支持金具の別の一例を示す外観斜視図である。
【図６】本発明で使用する取付け金具の別の一例を示す外観斜視図である。
【図７】本発明で使用する取付け金具のもう一つの例を示す外観斜視図である。
【符号の説明】
【００２４】
１  柱、
２  耐火被覆用パネル、
３、４、５、６  取付け金具、
７、８、９    支持金具、
１０、１１  タッピングビス
【図１】
2009299379.tif 000003
【図２】
2009299379.tif 000004
【図３】
2009299379.tif 000005
【図４】
2009299379.tif 000006
【図５】
2009299379.tif 000007
【図６】
2009299379.tif 000008
【図７】
2009299379.tif 000009